(57)【要約】【課題】従来に比べて薄い光床を実現し、建築施工後においても大きく床を上げることなく設置が容易でメンテナスが不要の光床を実現し、また、従来の光床に比べ一様で均一な明るさの発光面を有する光床を実現する。【解決手段】  光床１００は、ベースフレーム１０３と、上フレーム１０２ａ、下フレーム１０２ｂ、ガラス板１０４とを重ね合わせて構成されている。上フレーム１０２ａの内部には照明装置１１０が配置される。また、ガラス板１０４は、所定のクッション材１１２を介して上フレーム１０２ａ上に重畳して配置される。ガラス板１０４は、上側ガラス板１０４ａと、下側ガラス板１０４ｂと、それら２枚のガラス板に挟まれている乳半シート１０４ｃとから構成されている。このような位置に乳半シート１０４ｃが存在することによって、照明装置１１０が発する光が、この乳半シート１０４ｃの全面に広く行き渡り、輝度ムラ等が生じにくくなる。【選択図】図１
2009016052.tif 000002
【特許請求の範囲】
【請求項１】
平板状の枠体と、
前記枠体の上面に重ねて配置される上板と、
前記枠体の内部に設けられた照明装置と、
を含む光床において、
前記上板は、
第１の透明板と、
第２の透明板と、
前記第１の透明板と前記第２の透明板の間に挿入された光拡散板と、
を含むことを特徴とする光床。
【請求項２】
請求項１記載の光床において、
前記光拡散板は、乳白色の半透明板であることを特徴とする光床。
【請求項３】
請求項１記載の光床において、
前記上板と、前記枠体との間にクッション材が配置されていることを特徴とする光床。
【請求項４】
請求項１記載の光床において、
前記照明装置は、
導光板と、
前記導光板の縁部に設けられている発光手段と、
を含むことを特徴とする光床。
【請求項５】
請求項１〜４のいずれかの請求項に記載の光床を複数枚並べて配置して構成した展示ステージ。
【発明の詳細な説明】
【技術分野】
【０００１】
本発明は、展示対象である物品を載置する光床に関する。特に、発光手段を設けた光床に関する。
【背景技術】
【０００２】
物品の展示においては、演出が極めて重要である。そのために、照明は極めて重要な要素である。特に、床からの光のように下方からの光は物品に通常とは異なる輝き・陰影を醸し出すものであるため、より美的な展示をする場合にしばしば用いられる手段である。
【０００３】
また、下方からの柔らかい光を得るために、しばしば、光源と、光拡散板を組み合わせた照明床や、展示のために物品を載せられるようにした照明台の如き構造がしばしば用いられる。
【０００４】
先行文献
例えば、下記特許文献１には、照明床や、照明ディスプレイ等に利用可能な光源が開示されている。
【０００５】
また、下記特許文献２には、面状発光体となる光ファイバ照明装置が開示されている。
【０００６】
【特許文献１】特開平１０−２５５５３２号公報
【特許文献２】特開２０００−０８２３１２号公報
【発明の開示】
【発明が解決しようとする課題】
【０００７】
さて、このように下方からの光を実現するために、発光手段と、光拡散板を用いた構成はしばしば用いられる。
【０００８】
しかし、発光する展示台を構成する場合、その上に物品を載せる関係上、ある程度の強度が必要となる。また、発光する床を構成する場合も、その上を人が通る場合が多いので、ある程度の強度が求められる。
【０００９】
そのため、従来の光床は、フレーム及び透明ガラス及び光源等の部材を構成することによって、必要な強度を確保していた。
【００１０】
しかしながら、従来の光床においては、光床を構成するフレーム等によって光が遮られ、一面完全に明暗がない一様の明るさを有する光の面（床面）を実現することは困難であった。
【００１１】
さらに、従来の光床では、予め光床を設置することを想定して室内の施工を行わなければ、光床と室内の床を同一面に仕上げることは困難であった。
【００１２】
本発明は、係る課題に鑑みなされたものであり、その目的は、場所による明るさの変化が少なく、より一様な・均一な明るさの発光面を有する光床を実現することである。
【００１３】
また、本発明の他の目的は、従来に比べて薄い光床を実現し、建築竣工後でも大きく床面を上げることがなく設置が可能な光床を実現することである。
【課題を解決するための手段】
【００１４】
（１）本発明は、上記課題を解決するために、平板状の枠体と、前記枠体の上面に重ねて配置される上板と、前記枠体の内部に設けられた照明装置と、を含む光床において、前記上板は、第１の透明板と、第２の透明板と、前記第１の透明板と前記第２の透明板の間に挿入された光拡散板と、を含むことを特徴とする光床である。
【００１５】
（２）また、本発明は、上記（１）記載の光床において、前記光拡散板は、乳白色の半透明板であることを特徴とする光床である。
【００１６】
（３）また、本発明は、上記（１）記載の光床において、前記上板と、前記枠体との間にクッション材が配置されていることを特徴とする光床である。
【００１７】
（４）また、本発明は、上記（１）記載の光床において、前記照明装置は、導光板と、前記導光板の縁部に設けられている発光手段と、を含むことを特徴とする光床である。
【００１８】
（５）また、本発明は、上記（１）〜（４）のいずれかに記載の光床を複数枚並べて配置して構成した展示ステージである。
【発明の効果】
【００１９】
以上述べたように、本発明によれば、より一様な・均一な明るさの発光面を有する光床を実現することができる。
【発明を実施するための最良の形態】
【００２０】
以下、本発明の好適な実施の形態を図面に基づき説明する。
【００２１】
１．光床の構成
本実施の形態における光床の一例を、図１に示した。図１Ａはガラス板１０４を示す。また、図１Ｂは上フレーム１０２ａを示す。また、図１Ｃはアクリル導光板１２０を含む照明装置１１０を示す。さらに、図１Ｄは下フレーム１０２ｂとベースフレーム１０３を組み合わせた図である。下フレーム１０２ｂは、所定の間隔を開けてベースフレーム１０３に固定・配置されている。上フレーム１０２ａは、下フレーム１０２ｂにはめ込むように固定される。また、上フレーム１０２ａの上面にガラス板１０４が重畳して配置される。そして、下フレーム１０２ｂの内部に照明装置１１０が配置される。なお、以下では、上フレーム１０２ａと下フレーム１０２ｂを構成して成る部材をフレーム１０２と呼ぶ。
【００２２】
さて、この図１のように、光床１００は、１辺が９０ｃｍ程度の矩形をなしている。そして、この光床１００を縦方向や横方向に連続して並べることによって、展示ステージが構成される。展示ステージについては後に詳述する。
【００２３】
光床１００を並べた場合の断面図が図２に示されている。この図に示すように、光床１００は、ベースフレーム１０３、下フレーム１０２ｂ、及び上フレーム１０２ａから構成される枠の内部に照明装置１１０を備えている。そして、この照明装置１１０によって照らされる上板１０４が、上フレーム１０２ａの上面に、クッション材１１２を介して取り付けられている。
【００２４】
１．１  照明装置の詳細
照明装置１１０の詳細図が図３に示されている。この図に示すように、照明装置１１０は、アクリル導光板１２０と、アルミ反射板１２１と、カバー１２９と、から構成される。カバー１２９の内部には、ＬＥＤ１２６と、ＬＥＤアルミ基盤１２４と、アルミ放熱フィン１２８と、が配置されている。ＬＥＤアルミ基盤１２４には、所定の間隔で孔が設けられ、この孔にＬＥＤ１２６がそれぞれ取り付けられている。また、ＬＥＤアルミ基盤１２４には、アルミ放熱フィン１２８が取り付けられている。このような構成によって、ＬＥＤ１２６から発生する熱が効率よく放熱されるので、ＬＥＤ１２６の寿命を延ばすことができる。
【００２５】
１．２  ガラス板の詳細
ガラス板１０４は、所定のクッション材１１２を介して上フレーム１０２ａ上に取り付けられている。図２に示すように、ガラス板１０４は、上側ガラス板１０４ａと、下側ガラス板１０４ｂと、それら２枚のガラス板に挟まれている乳半シート１０４ｃ、から構成して成る合わせガラスである。なお、乳半シート１０４ｃは、乳白色で半透明のシートで、光を拡散する目的で配置される。
【００２６】
なお、この乳半シート１０４ｃは、請求の範囲の光拡散板の好適な一例に相当する。
【００２７】
また、この光床１００を複数個並べる場合には、隣接するこのガラス板１０４の間には所定のシール材１１３が充填され、いわゆる目地が埋められた状態とするのである。シール材１１３は一般的なシール材、シリコンコーキング材が用いられる。複数個並べたものは、展示ステージ２００と呼び、その詳細は後述する。
【００２８】
２．  特徴・作用
以上、本実施の形態の光床１００は、これまで図１〜図３で説明したような構成を採用する。
【００２９】
（１）本実施の形態において特徴的なことは、第１に、光拡散板として動作する乳半シート１０４ｃが、上側ガラス板１０４ａと下側ガラス板１４ｂとの間に配置されていることである。このような位置に乳半シート１０４ｃが存在することによって、発光手段１１０が発する光が、この乳半シート１０４ｃの全面に広く行き渡り、輝度ムラ等が生じにくくなるのである。
【００３０】
これに対して、仮に、乳半シート１０４ｃを下側ガラス板１０４ｂの下面に位置させると、上フレーム１０２ａと、乳半シート１０４ｃとが極めて近接した位置になるので、フレーム１０２の影やクッション材１１２の跡がはっきりと見えてしまう。
【００３１】
また、仮に、乳半シート１０４ｃを上側ガラス板１０４ａの上面に位置させると、乳半シート１０４ｃに傷が付きやすくなり、この傷が発光面上で目立ってしまうことが予想され、装飾上好ましくない。
【００３２】
これらに対して、本実施の形態においては、上側ガラス板１０４ａと下側ガラス板１０４ｂとの間に乳半シート１０４ｃを配置したので、傷が付きやすくなることもなく、さらに、フレーム１０２の影が強く出てしまうこともない。
【００３３】
本実施の形態では、上側ガラス板１０４ａと、下側ガラス板１０４ｂの厚みはそれぞれ１２ｍｍの倍強化ガラスとしたが、必要となる強度が得られる範囲で厚みを変えてもかまわないし、上側ガラス板１０４ａと下側ガラス板１０４ｂとで異なる厚みを採用してもかまわない。特に、フレーム１０２の影が強く出てしまうことを防止するためには、下側ガラス板１０４ｂの厚さは大きい方が好ましい。
【００３４】
（２）本実施の形態で採用する照明装置１１０は光源としてＬＥＤ１２６を用いている。この結果、発熱量を減少させることができるので、より厚みを薄くして光床１００を構成することができる。本願発明者が実際に製作した例では、高さ８ｃｍを実現している。この高さでも内部は十分に低い温度に保つことができる。
【００３５】
（３）本実施の形態の光床１００では、上板１０４が上フレーム１０２ａに対してクッション材１１２を介して載置されている。したがって、取り外しが容易であり、内部の照明装置のメンテナンス等を容易に行うことができる。
【００３６】
３．展示ステージ
上述した光床１００を複数個配列して、より大きな展示ステージ２００を構成することも好適である。
【００３７】
図４には、円形の展示ステージを構成する場合の光床１００の配置を示す平面図が示されている。この図に示すように、正方形型の光床１００を５個×５個配置し、その周囲に曲線部分を辺として含む光床１００を配置させることによって、円形の展示ステージ２００を構成している。
【００３８】
このように光床１００としては、矩形の平面形状だけでなく、曲面を有する形状の光床でもかまわない。そのような形状の光床１００を組み合わせることによって円形や楕円形の展示ステージ２００を構築することが可能である。
【図面の簡単な説明】
【００３９】
【図１】光床が用いるフレームの斜視図である。
【図２】光床の断面図である。
【図３】照明装置の詳細図である。
【図４】光床を複数個配置して構成して展示ステージの平面図である。
【符号の説明】
【００４０】
１００  光床
１０２  フレーム
１０２ａ  上フレーム
１０２ｂ  下フレーム
１０３  ベースフレーム
１０４  ガラス板
１０４ａ  上側ガラス板
１０４ｂ  下側ガラス板
１０４ｃ  乳半シート
１１０  照明装置
１１２  クッション材
１１３  シール材
１２４  ＬＥＤアルミ基盤
１２６  ＬＥＤ
１２８  アルミ放熱フィン
【図１】
2009016052.tif 000003
【図２】
2009016052.tif 000004
【図３】
2009016052.tif 000005
【図４】
2009016052.tif 000006